(57)【要約】【課題】画像形成装置本体の上方にイオン発生装置が外付けされた画像形成装置において、イオン発生装置のフィルター交換等のメンテナンスを容易にする。【解決手段】空気中の塵埃等を除去するためのフィルターを有するイオン発生装置７１を、支持部材７０にて、画像形成装置本体１００ａの上方に片持ち支持し、かつ、支持部材７０を回転自在にもうけ、イオン発生装置７１を、イオン発生装置７１を動作させる動作位置と、イオン発生装置７１のメンテナンスを行うメンテナンス位置とに移動可能に構成する。【選択図】図１
2011081059.tif 000002
【特許請求の範囲】
【請求項１】
シートに画像を形成する画像形成装置であって、
空気中の塵埃等を除去するためのフィルターを有するイオン発生装置と、
上記イオン発生装置を上記画像形成装置本体の背面側上方において支持する支持部材とを有し、
上記支持部材は、上記イオン発生装置を、上記イオン発生装置を動作させる動作位置と、上記イオン発生装置のメンテナンスを行うメンテナンス位置とに移動自在に支持することを特徴とする画像形成装置。
【請求項２】
上記イオン発生装置は、上記画像形成装置本体の背面側の片側コーナー部において、上記支持部材にて片持ち支持されており、
上記動作位置は、上記画像形成装置の上方より見た上記イオン発生装置の投影面が上記画像形成装置本体の上面に、画像形成装置本体の背面側において重畳する位置であり、
上記メンテナンス位置は、上記画像形成装置の上方より見た上記イオン発生装置の投影面が、上記画像形成装置本体の上面に、上記支持部材が設けられた片側コーナー部を除いて重畳しない上記画像形成装置の側方の位置であることを特徴とする請求項１に記載の画像形成装置。
【請求項３】
上記メンテナンス位置は、上記画像形成装置における、ジャム処理のために開放される側壁を有する側の側方であることを特徴とする請求項２に記載の画像形成装置。
【請求項４】
上記支持部材は、
上記画像形成装置本体の背面側の片側コーナー部に固定された、上記画像形成装置本体の上方へと延びる支柱と、
上記支柱を軸として回転する回転部材とを有し、
上記イオン発生装置は上記回転部材に取り付けられていることを特徴とする請求項２又は３に記載の画像形成装置。
【請求項５】
上記支持部材は、さらに、上記回転部材をメンテナンス位置で固定するための固定部材を備えることを特徴とする請求項４に記載の画像形成装置。
【請求項６】
上記イオン発生装置は、上記フィルターを交換するための筐体開放部を、上記動作位置にある状態で、上記画像形成装置の背面側に備えることを特徴とする請求項２、３、４又は５に記載の画像形成装置。
【請求項７】
上記支持部材は、
上記画像形成装置本体の背面側の片側コーナー部に固定された、上記画像形成装置本体の上方へと延びる支柱と、
上記支柱の上部に設けられ、上記支柱の上部において上記イオン発生装置を、上記画像形成装置を正面より見た場合の横方向にスライド自在に支持するスライド部材とを有することを特徴とする請求項２又は３に記載の画像形成装置。
【請求項８】
上記支持部材は、さらに、上記スライド部材をメンテナンス位置で固定する固定部材を備えることを特徴とする請求項７に記載の画像形成装置。
【請求項９】
上記イオン発生装置は、上記フィルターを交換するための筐体開放部を、上記動作位置にある状態で、上記画像形成装置の正面側に備えることを特徴とする請求項２、３、７又は８に記載の画像形成装置。
【請求項１０】
上記フィルターは、該フィルターの交換時に上記イオン発生装置より取り外される筐体の一部に取り付けられていることを特徴とする請求項１〜９のいずれか１項に記載の画像形成装置。
【請求項１１】
画像形成装置本体の上方においてイオン発生装置を片持ち支持するイオン発生装置の支持部材であって、
一端側が画像形成装置本体に固定され、上記画像形成装置本体に固定された状態で当該画像形成装置本体の上方へと延びる支柱と、
該支柱における他端側に該支柱を軸として回転自在に設けられ、上記イオン発生装置を保持可能な回転部材とを有することを特徴とするイオン発生装置の支持部材。
【請求項１２】
画像形成装置本体の上方においてイオン発生装置を片持ち支持するイオン発生装置の支持部材であって、
一端側が画像形成装置本体に固定され、上記画像形成装置本体に固定された状態で当該画像形成装置本体の上方へと延びる支柱と、
該支柱における他端側において、上記イオン発生装置を、上記画像形成装置を正面より見た場合の横方向にスライド自在に支持するスライド部材とを有することを特徴とするイオン発生装置の支持部材。
【発明の詳細な説明】
【技術分野】
【０００１】
本発明は、複写機、プリンタ、ファクシミリ装置等の画像形成装置であって、イオン発生装置が付設された画像形成装置に関する。
【背景技術】
【０００２】
今日、オフィスや家庭、病院等においては、室内の空気を浄化する空気清浄機が普及しつつある。本願出願人は、先に、正イオン及び負イオンを同時に発生し、正イオン及び負イオンにより空気中の浮遊細菌を効果的に除去するイオン発生装置を開発し、市場に提供している（例えば、特許文献１）。
【０００３】
また、本願出願人は、画像形成装置本体の上方に上記イオン発生装置を外付けした画像形成装置を創案し、発表している。これによれば、画像形成装置本体の上方の空間を有効利用して、イオン発生装置を設置することができる。また、イオンを比較的高い位置から室内に放出するため、タバコの臭いや空気中の浮遊細菌を効果的に除去することができる。
【０００４】
一方、画像形成装置からは、アレルギー症、頭痛、又は目眩等の健康被害が発症する、いわゆるシックハウス症候群の原因物質の一つであるＶＯＣ（Volａtile Orgａnic Compounds：揮発性有機化合物）が放出されることが知られている。また、ロンギフォレン、オゾン、又はトナー臭等の臭気が、放出されることも知られている。
【０００５】
このような画像形成装置から放出される、ＶＯＣや臭気等の揮発性化学物質を含む排出ガスの問題は、マイナスイオンによって低減させることができることが判明しており、マイナスイオン発生装置を搭載した画像形成装置が提案されている（例えば、特許文献２，３）。
【０００６】
従って、本願出願人が発表している画像形成装置本体の上方にイオン発生装置を外付けした画像形成装置においても、イオン発生装置からマイナスイオンを発生させることで、画像形成装置から放出される排出ガスに対しては、発生源である画像形成装置の上方よりマイナスイオンを放出することにより、画像形成装置からの排出ガスを効果的に除去することができる。
【先行技術文献】
【特許文献】
【０００７】
【特許文献１】特開２００２−０５８７３１号公報
【特許文献２】特開２００５−００４１４４号公報
【特許文献３】特開２００５−０５５５１５号公報
【特許文献４】特開２００７−１０７８０４号公報
【特許文献５】特開２００３−１６１４８２号公報
【発明の概要】
【発明が解決しようとする課題】
【０００８】
ところで、このようなイオン発生装置は、通常、イオン発生部に送る空気中の塵埃等を除去するためのフィルターを有しており、定期的に該フィルターを交換する等のメンテナンスが必要である。特許文献４，５には、機器本体のフロントパネルを開放して、フィルターを交換する空気調和機、空気清浄機が開示されている。また、機器本体のリアパネルを開放してフィルターを交換する機器もある。
【０００９】
ところが、画像形成装置本体の上方に外付けされたイオン発生装置では、フィルター交換等のメンテナンスを容易に行うことができないという新たな問題が判明した。
【００１０】
つまり、多くの画像形成装置においては、指示入力のための操作パネルは画像形成装置の正面（前面）側に配され、また、原稿台カバーの開閉も画像形成装置の背面側を軸として行われる。従って、画像形成装置本体の上方にイオン発生装置を外付けする場合、イオン発生装置は、画像形成装置本体の背面側に配置せざるを得ない。
【００１１】
しかしながら、その場合、画像形成装置の正面側から、イオン発生装置のフロントパネルを開放して内部のフィルターを交換する構成では、画像形成装置本体の有する奥行きのために、画像形成装置の正面側より両手を伸ばすようにして作業する必要があり、作業が行い難いといった問題がある。なお、画像形成装置の側面側からフィルター交換等の作業を行うことも不可能ではないが、画像形成装置の側面には、用紙排出用トレイや手差しトレイ、原稿排出用トレイ等が、側面より突出するように備えられている。そのため、結局はこれらトレイを挟んで両手を伸ばすようにして作業する必要があり、やはり作業が行い難い。
【００１２】
また、リアパネルを開放して画像形成装置の背面側よりフィルターを背面から交換する構成では、作業者が画像形成装置の背面側に回り込む必要があるため、画像形成装置を移動させなければならないといった問題がある。
【００１３】
本発明は、上述のごとき事情に鑑みてなされたものであり、画像形成装置本体の上方にイオン発生装置が外付けされた画像形成装置において、フィルター交換等のメンテナンス性に優れた画像形成装置を提供することを目的とする。
【課題を解決するための手段】
【００１４】
上記課題を解決するために、本発明の画像形成装置は、シートに画像を形成する画像形成装置であって、空気中の塵埃等を除去するためのフィルターを有するイオン発生装置と、上記イオン発生装置を上記画像形成装置本体の背面側上方において支持する支持部材とを有し、上記支持部材は、上記イオン発生装置を、上記イオン発生装置を動作させる動作位置と、上記イオン発生装置のメンテナンスを行うメンテナンス位置とに移動自在に支持することを特徴としている。
【００１５】
上記発明によれば、画像形成装置本体の上方に支持されたイオン発生装置は、支持部材によって、イオン発生装置を動作させる動作位置と、イオン発生装置のメンテナンスを行うメンテナンス位置とに移動自在に支持されている。
【００１６】
このため、フィルター交換等のメンテナンス時には、イオン発生装置を画像形成装置本体が支障とならないメンテナンス位置に移動させることで、画像形成装置本体の奥行きを支障とすることなく、また、たとえ、画像形成装置の背面側でもあるイオン発生装置の背面側よりフィルター交換を行うような仕様であっても、画像形成装置を移動させることなく、フィルター交換等のメンテナンスを容易に行うことができる。
【００１７】
本発明の画像形成装置は、さらに、上記イオン発生装置は、上記画像形成装置本体の背面側の片側コーナー部において、上記支持部材にて片持ち支持されており、上記動作位置は、上記画像形成装置の上方より見た上記イオン発生装置の投影面が上記画像形成装置本体の上面に、画像形成装置本体の背面側において重畳する位置であり、上記メンテナンス位置は、上記画像形成装置の上方より見た上記イオン発生装置の投影面が、上記画像形成装置本体の上面に、上記支持部材が設けられた片側コーナー部を除いて重畳しない上記画像形成装置の側方の位置である構成とすることもできる。
【００１８】
メンテナンス位置を、上記のような画像形成装置本体と重ならない位置とすることで、画像形成装置の奥行きを支障とすることなく、イオン発生装置の近くで作業することができる。
【００１９】
この場合、上記メンテナンス位置は、上記画像形成装置における、ジャム処理のために開放される側壁を有する側の側方とすることがより好ましい。
【００２０】
画像形成装置においては、シートの搬送パスが設けられている側の側壁を、搬送途中で詰まったシートを取り除く、所謂ジャム処理のために開放可能に構成しており、開放される側壁を有する側の空間は、通常、空きスペースとなっている。
【００２１】
従って、動作位置から例えば１８０度回転させた位置をメンテナンス位置とした場合でも、このジャム処理のために確保されている画像形成装置側方の空間を利用することで、画像形成装置の設置スペースを増大させることがない。
【００２２】
本発明の画像形成装置は、さらに、上記支持部材は、上記画像形成装置本体の背面側の片側コーナー部に固定された、上記画像形成装置本体の上方へと延びる支柱と、上記支柱を軸として回転する回転部材とを有し、上記イオン発生装置は上記回転部材に取り付けられている構成とすることもできる。
【００２３】
また、本発明の画像形成装置は、さらに、上記支持部材は、上記画像形成装置本体の背面側の片側コーナー部に固定された、上記画像形成装置本体の上方へと延びる支柱と、上記支柱の上部に設けられ、上記支柱の上部において上記イオン発生装置を、上記画像形成装置を正面より見た場合の横方向にスライド自在に支持するスライド部材とを有する構成とすることもできる。
【００２４】
このような支持部材では、回転動作、或いはスライド動作にて、イオン発生装置を容易に動作位置からメンテナンス位置へと移動させることができる。
【００２５】
回転部材を備える支持部材の場合、回転部材をメンテナンス位置で固定する固定部材を備えることが好ましく、スライド部材を備える支持部材の場合は、上記スライド部材をメンテナンス位置で固定する固定部材を備えることが好ましい。
【００２６】
イオン発生装置をメンテナンス位置に固定できるので、フィルター交換等の作業を容易に行うことができる。
【００２７】
回転部材を備える支持部材には、フィルターを交換するための筐体開放部を背面側に備えるイオン発生装置との組み合わせが適しており、スライド部材を備える支持部材には、フィルターを交換するための筐体開放部を正面側に備えるイオン発生装置との組み合わせが適している。
【００２８】
本発明の画像形成装置は、さらに、上記フィルターは、該フィルターの交換時に上記イオン発生装置より取り外される筐体の一部に取り付けられている構成とすることもできる。
【００２９】
上記構成によれば、取り外す筐体の一部に一体的にフィルターが設けられているので、交換をさらに容易に行うことができる。
【００３０】
また、本発明には、イオン発生装置を動作位置とメンテナンス位置とに移動自在に支持する支持部材も、発明の範疇としている。
【００３１】
本発明の支持部材は、画像形成装置本体の上方においてイオン発生装置を片持ち支持するイオン発生装置の支持部材であって、一端側が画像形成装置本体に固定され、上記画像形成装置本体に固定された状態で当該画像形成装置本体の上方へと延びる支柱と、該支柱における他端側に該支柱を軸として回転自在に設けられ、上記イオン発生装置を保持可能な回転部材とを有している。
【００３２】
本発明の別の支持部材は、画像形成装置本体の上方においてイオン発生装置を片持ち支持するイオン発生装置の支持部材であって、一端側が画像形成装置本体に固定され、上記画像形成装置本体に固定された状態で当該画像形成装置本体の上方へと延びる支柱と、
該支柱における他端側において、上記イオン発生装置を、上記画像形成装置を正面より見た場合の横方向にスライド自在に支持するスライド部材とを有している。
【発明の効果】
【００３３】
以上のように、本発明は、支持部材にて、イオン発生装置を、画像形成装置本体の上方の動作位置から、メンテナンスを行うメンテナンス位置へと移動できる構成である。
【００３４】
それゆえ、画像形成装置本体の上方にイオン発生装置が支持された画像形成装置において、フィルター交換等のメンテナンス性に優れた画像形成装置を提供することができるという効果を奏する。
【図面の簡単な説明】
【００３５】
【図１】本発明に係る画像形成装置の一実施形態を示すもので、画像形成装置に搭載されたイオン発生装置の動作位置とメンテナンス位置とを説明する正面側より見た斜視図である。
【図２】本発明に係る画像形成装置の一実施形態を示す断面図である。
【図３】図２の画像形成装置におけるイオン発生装置の構成を示す断面図である。
【図４】図３のイオン発生装置におけるイオン発生素子を例示する平面図である。
【図５】図５（ａ）は、図３に示すイオン発生装置の正面側を示す斜視図であり、図５（ｂ）は背面側を示す斜視図である。
【図６】図３に示すイオン発生装置が備える吸入開口カバーを開放した状態を示す斜視図である。
【図７】図３に示すイオン発生装置が備える吸入開口カバーのＧ−Ｇ断面図である。
【図８】図８（ａ）は、図３に示すイオン発生装置が備えるフィルター部材の表面側を示す斜視図であり、図８（ｂ）は、フィルター部材の裏面側を示す斜視図である。
【図９】図２の画像形成装置に搭載されたイオン発生装置が動作している状態を示す正面側より見た斜視図である。
【図１０】図２の画像形成装置の側面図である。
【図１１】図２の画像形成装置に搭載されたイオン発生装置の動作位置とメンテナンス位置とを説明する上面側より見た上面図である。
【図１２】図２の画像形成装置に搭載されたイオン発生装置を支持する支持部材を説明するための斜視図である。
【図１３】図１２に示す支持部材の要部を示す拡大断面図である。
【図１４】図１２の支持部材に用いられているスラスト玉軸受けの分解斜視図である。
【図１５】図１２の支持部材の支柱に形成されている、回転部材の回転を規制して位置を固定するストッパーとこれが嵌入される嵌入穴とを示す斜視図である。
【図１６】実施形態１における画像形成装置の変形例の画像形成装置における、イオン発生装置が動作している状態を示す正面側より見た斜視図である。
【図１７】図１６の画像形成装置において、イオン発生装置がメンテナンス位置にある状態を示す正面側より見た斜視図である。
【図１８】図３のイオン発生装置に採用できる、フィルターが吸入開口カバーと一体化された、フィルター付カバー部材を示す斜視図である。
【図１９】本発明に係る画像形成装置のその他の実施形態を示すもので、画像形成装置に搭載されたイオン発生装置が動作している状態を示す正面側より見た斜視図である。
【図２０】図１９の画像形成装置に搭載されたイオン発生装置を支持する支持部材を説明するための斜視図である。
【図２１】図２０に示す破線丸枠内を示す拡大図である。
【図２２】図１９の画像形成装置に搭載されたイオン発生装置の動作位置とメンテナンス位置とを説明する正面側より見た斜視図である。
【発明を実施するための形態】
【００３６】
〔実施形態１〕
本発明の一実施形態について、図１〜図１８に基づいて説明すれば以下のとおりである。本実施形態では、記録用紙（シート）に対して画像形成を行う画像形成装置本体の上方に、イオン発生装置が外付けされた画像形成装置であって、イオン発生装置が、イオン発生装置を動作させる動作位置と、イオン発生装置のメンテナンスを行うメンテナンス位置とに移動可能に設けられている構成について説明する。
【００３７】
図２は、本実施形態における画像形成装置１００を示す断面図である。画像形成装置１００は、単体でプリンタ機能を有するプリンタ装置１０１を中心に、各種の周辺機器が、オプションにて付設されてなる。本実施形態の画像形成装置１００においては、図２に示すように、プリンタ装置１０１に対して、原稿搬送装置４２と、原稿読取装置１０２と、イオン発生装置７１とが付設されている。なお、以下、プリンタ装置１０１に、原稿読取装置１０２、原稿搬送装置４２が付設されてなる塊を、画像形成装置本体１００ａと定義する。
【００３８】
以下では、本実施形態における画像形成装置１００の構成として、まず、プリンタ装置１０１、原稿搬送装置４２、原稿読取装置１０２について説明した後、画像形成装置本体１００ａの上方に支持されたイオン発生装置７１、及びこれを支える支持部材７０について説明する。
【００３９】
＜画像形成装置、原稿搬送装置、原稿読取装置の説明＞
まず、プリンタ装置１０１、原稿搬送装置４２、原稿読取装置１０２について説明する。プリンタ装置１０１は、記録用紙に対して画像形成を行う装置である。プリンタ装置１０１は、プリンタ装置１０１の上部に、原稿読取装置１０２が備えられ、さらにその上部に原稿搬送装置４２が備えられている。
【００４０】
プリンタ装置１０１は、原稿読取装置１０２によって読取られた原稿の画像、又は外部から受信した画像を、カラー若しくは単色で記録用紙に記録する。
【００４１】
原稿読取装置１０２は、原稿搬送装置４２によって搬送されている原稿画像を読取るものである。原稿搬送装置４２では、原稿が原稿セットトレイ４１にセットされると、原稿ピックアップローラ４４を原稿表面に押し付けて回転し、原稿を原稿セットトレイ４１から引き出す。引き出された原稿は、サバキローラ４５と分離パッド４６との間を通過して、１枚ずつに分離されてから搬送経路４７へと搬送される。
【００４２】
この搬送経路４７では、原稿の先端は、原稿レジストローラ４９に当接し、原稿レジストローラ４９と平行に揃えられる。この後、原稿は、原稿レジストローラ４９によって搬送されて、読取ガイド５１と読取ガラス５２との間を通過する。さらに、原稿は、搬送ローラ５７によって搬送され、排紙ローラ５８を介して排紙トレイ５９に排出される。
【００４３】
原稿読取装置１０２では、原稿が読取ガイド５１と読取ガラス５２との間を通過するに際し、第１走査部５３の光源の光が読取ガラス５２を介して原稿表面に照射される。そして、原稿表面に照射された光の反射光は、読取ガラス５２を介して第１走査部５３に入射し、第１走査部５３、及び第２走査部５４のミラーでさらに反射されて結像レンズ５５へと導かれ、結像レンズ５５によって原稿の画像がＣＣＤ（Charge Coupled Device）５６上に結像される。ＣＣＤ５６は、原稿の画像を読取り、原稿の画像を示す画像データを出力する。
【００４４】
また、原稿読取装置１０２では、原稿台ガラス６１上に載置された原稿を読取ることができる。原稿搬送装置４２は、原稿読取装置１０２の背面側で開閉可能に枢支されており、この原稿搬送装置４２が開かれると、原稿台ガラス６１が露出し、原稿台ガラス６１上に原稿を載置することができる。原稿が原稿台ガラス６１上に載置されて、原稿搬送装置４２が閉じられ、スタートキーが押圧されると、第１走査部５３、及び第２走査部５４が副走査方向に移動しつつ、第１走査部５３によって原稿台ガラス６１上の原稿表面を露光する。
【００４５】
第１走査部５３、及び第２走査部５４によって原稿表面からの反射光が結像レンズ５５へと導かれ、結像レンズ５５によって原稿の画像がＣＣＤ５６上に結像される。このとき、第１走査部５３、及び第２走査部５４が相互に所定の速度関係を維持しつつ移動して、原稿表面→第１走査部５３、及び、第２走査部５４→結像レンズ５５→ＣＣＤ５６という反射光の光路の長さが変化しないように第１走査部５３、及び第２走査部５４の位置関係が常に維持され、これによりＣＣＤ５６上での原稿の画像のピントが常に正確に維持される。
【００４６】
こうして読取られた原稿の画像全体は、画像データとしてプリンタ装置１０１のレーザ露光装置１へと送受され、プリンタ装置１０１において画像が記録用紙に記録される。
【００４７】
また、プリンタ装置１０１は、内部に、レーザ露光装置１、現像装置２、感光体ドラム３、帯電器５、クリーナ装置４、中間転写ベルト装置８、定着装置１２、用紙搬送経路Ｓ、給紙トレイ１０、及び、用紙排出トレイ１５等を備えている。
【００４８】
プリンタ装置１０１において扱われる画像データは、ブラック（Ｋ）、シアン（Ｃ）、マゼンタ（Ｍ）、イエロー（Ｙ）の各色を用いたカラー画像に応じたもの、又は単色（例えばブラック）を用いたモノクロ画像に応じたものである。従って、現像装置２と、感光体ドラム３と、帯電器５と、クリーナ装置４とは、各色に応じた４種類の潜像を形成するようにそれぞれ４個ずつ設けられ、それぞれがブラック、シアン、マゼンタ、及びイエローに対応付けられて、４つの画像形成ステーションＰａ、Ｐｂ、Ｐｃ、Ｐｄが構成されている。
【００４９】
各画像形成ステーションＰａ、Ｐｂ、Ｐｃ、Ｐｄにおいて、感光体ドラム３はほぼ中央に配置されている。帯電器５は、感光体ドラム３の表面を所定の電位に均一に帯電させるための帯電手段であり、接触型であるローラ型やブラシ型の帯電器のほか、チャージャー型の帯電器が用いられる。
【００５０】
レーザ露光装置１は、レーザダイオード、及び反射ミラーを備えたレーザスキャニングユニット（ＬＳＵ）であり、帯電された感光体ドラム３表面を画像データに応じて露光して、その表面に画像データに対応する静電潜像を形成する。
【００５１】
現像装置２は、感光体ドラム３上に形成された静電潜像を（Ｋ、Ｃ、Ｍ、Ｙ）のトナーによって現像する。クリーナ装置４は、現像、及び画像転写後に感光体ドラム３表面に残留したトナーを除去及び回収する。
【００５２】
感光体ドラム３の上方に配置されている中間転写ベルト装置８は、中間転写ベルト７と、駆動ローラ２１と、従動ローラ２２と、中間転写ローラ６と、ベルトクリーニング装置９とを備えている。駆動ローラ２１、中間転写ローラ６、及び従動ローラ２２等は、中間転写ベルト７を張架して支持し、中間転写ベルト７を矢印Ｃ方向に周回移動させる。
【００５３】
中間転写ローラ６は、中間転写ベルト７の近傍に回転可能に支持され、中間転写ベルト７を介して感光体ドラム３に圧接され、感光体ドラム３のトナー像を中間転写ベルト７に転写するための転写バイアスを印加されている。
【００５４】
中間転写ベルト７は、各感光体ドラム３に接触するように設けられており、各感光体ドラム３表面のトナー像を中間転写ベルト７に順次重ねて転写することにより、カラーのトナー像（各色のトナー像）を形成する。この転写ベルトは、厚さ１００μｍ〜１５０μｍ程度のフィルムを用いて無端ベルト状に形成されている。
【００５５】
感光体ドラム３から中間転写ベルト７へのトナー像の転写は、中間転写ベルト７裏面に圧接されている中間転写ローラ６によって行われる。中間転写ローラ６には、トナー像を転写するために高電圧の転写バイアス（トナーの帯電極性（−）とは逆極性（＋）の高電圧）が印加されている。中間転写ローラ６は、直径８〜１０ｍｍの金属（例えばステンレス）軸をベースとし、その表面は、導電性の弾性材（例えば、ＥＰＤＭ、発泡ウレタン等）により覆われているローラである。この導電性の弾性材により、記録用紙に対して均一に高電圧を印加することができる。
【００５６】
上述のように、各感光体ドラム３表面のトナー像は、中間転写ベルト７で積層され、画像データにより示されるカラーのトナー像となる。このように積層された各色のトナー像は、中間転写ベルト７と共に搬送され、中間転写ベルト７と接触する２次転写装置１１の転写ローラ１１ａによって記録用紙上に転写される。
【００５７】
中間転写ベルト７と２次転写装置１１の転写ローラ１１ａとは相互に圧接されて、ニップ域を形成する。また、２次転写装置１１の転写ローラ１１ａには、中間転写ベルト７上の各色のトナー像を記録用紙に転写させるための電圧（トナーの帯電極性（−）とは逆極性（＋）の高電圧）が印加される。さらに、そのニップ域を定常的に得るために、２次転写装置１１の転写ローラ１１ａ、若しくは駆動ローラ２１の何れか一方を硬質材料（金属等）とし、他方を弾性ローラ等の軟質材料（弾性ゴムローラ、又は発泡性樹脂ローラ等）としている。
【００５８】
また、２次転写装置１１によって中間転写ベルト７上のトナー像が記録用紙上に完全に転写されず、中間転写ベルト７上にトナーが残留することがあり、この残留トナーが次工程でトナーの混色を発生させる原因となる。このため、ベルトクリーニング装置９によって残留トナーを除去及び回収する。ベルトクリーニング装置９には、例えば、クリーニング部材として、中間転写ベルト７に接触して残留トナーを除去するクリーニングブレードが設けられており、クリーニングブレードが接触する部位で、従動ローラ２２によって中間転写ベルト７裏側が支持されている。
【００５９】
給紙トレイ１０は、記録用紙を格納しておくためのトレイであり、プリンタ装置１０１の画像形成部の下側に設けられて、トレイ内の記録用紙を供給する。
【００６０】
プリンタ装置１０１には、給紙トレイ１０から供給された記録用紙を２次転写装置１１や定着装置１２を経由させて用紙排出トレイ１５に送るための、Ｓの字形状の用紙搬送経路Ｓが設けられている。この用紙搬送経路Ｓに沿って、用紙ピックアップローラ１６、用紙レジストローラ１４、定着装置１２、及び記録用紙を搬送する搬送ローラ等が配置されている。
【００６１】
用紙ピックアップローラ１６は、給紙トレイ１０の端部に設けられ、給紙トレイ１０から記録用紙を１枚ずつ用紙搬送経路Ｓに供給する呼び込みローラである。搬送ローラは、記録用紙の搬送を促進補助するための小型のローラであり、複数個設けられている。
【００６２】
用紙レジストローラ１４は、搬送されて来た記録用紙を一旦停止させて、記録用紙の先端を揃え、中間転写ベルト７と２次転写装置１１の転写ローラ１１ａとの間のニップ域で中間転写ベルト７上のカラーのトナー像が記録用紙に転写されるように、感光体ドラム３及び中間転写ベルト７の回転にあわせて、記録用紙をタイミングよく搬送する。
【００６３】
例えば、用紙レジストローラ１４は、レジスト前検知スイッチ（図示省略）の検出出力に基づき、中間転写ベルト７と２次転写装置１１の転写ローラ１１ａとの間のニップ域で中間転写ベルト７上のカラーのトナー像の先端が記録用紙の画像形成領域の先端に合うように、記録用紙を搬送する。
【００６４】
定着装置１２は、加熱ローラ３１及び加圧ローラ３２等を備えている。加熱ローラ３１及び加圧ローラ３２は、中間転写ベルト７と２次転写装置１１の転写ローラ１１ａとの間のニップ域を通過して来た記録用紙を挟み込んで搬送する。
【００６５】
加熱ローラ３１は、図示しない温度検出器の検出出力に基づき、所定の定着温度となるように制御されており、加圧ローラ３２と共に記録用紙を熱圧着することにより、記録用紙に転写されたトナー像を溶融、混合、圧接し、記録用紙に対して熱定着させる機能を有している。
【００６６】
各色のトナー像の定着後の記録用紙は、搬送ローラによって用紙排出トレイ１５上にフェイスダウンで排出される。
【００６７】
以上のように、プリンタ装置１０１によれば、原稿読取装置１０２によって読取られた原稿の画像、又は外部から受信した画像を、カラー若しくは単色で記録用紙に記録することができる。
【００６８】
＜イオン発生装置の説明＞
次に、イオン発生装置７１について説明する。本実施形態における画像形成装置１００において、イオン発生装置７１は、画像形成装置本体１００ａの上方に、支持部材７０によって片持ち支持されている。
【００６９】
イオン発生装置７１は、プラスイオン及びマイナスイオン、或いはマイナスイオンを発生して外部に放出するものであり、プラズマクラスターイオン発生装置、又はマイナスイオン発生装置等を使用することができる。プラズマクラスターイオン発生装置は、主に、タバコの臭いを消臭する、又は空気中の浮遊細菌を除去する等の目的に好適に使用することができる。一方、マイナスイオン発生装置は、主に、プリンタ装置１０１から放出されるＶＯＣや臭気等の揮発性化学物質を含む排出ガスを浄化する等の目的に好適に使用することができる。
【００７０】
図３は、プラズマクラスターイオン発生装置からなるイオン発生装置７１の断面図である。このイオン発生装置７１は、本体筐体７３、本体筐体７３の内部に配置されたファンユニット９２、本体筐体７３の背面側壁に形成された吸入開口７３ａを覆う、複数の吸入孔７４ｂを有する吸入開口カバー７４とファンユニット９２の吸入口９２ａとの間に配置されたフィルター部材９９及び吸入ダクト９３、本体筐体７３の上部に形成された吹き出し口７５とファンユニット９２の吹き出し口９２ｂとの間に配置された吹き出しダクト９４、及びファンユニット９２の周囲に配置された複数のイオン発生素子９５を備えている。
【００７１】
イオン発生装置７１は、画像形成装置１００の幅方向（正面より見た場合の幅方向）に長い（図２参照）。そのため、本体筐体７３、ファンユニット９２、吸入開口７３ａ，各吸入孔７４ｂ、吸入ダクト９３、吹き出し口９２ｂ、吹き出しダクト９４、吹き出し口７５も画像形成装置１００の幅方向に長く、また複数のイオン発生素子９５を画像形成装置１００の幅方向に配列している。
【００７２】
ファンユニット９２のファン９２ｃは、モータ（図示せず）により回転駆動されると、矢印Ｇに示すような空気流を発生し、空気を各吸入孔７４ｂから吸入ダクト９３を通じてファンユニット９２内へと吸入し、空気を各イオン発生素子９５近傍に流してから、空気を吹き出しダクト９４を通じて吹き出し口７５から放出する。
【００７３】
このファン９２ｃのモータは、プリンタ装置１０１に内蔵の制御部６８に接続され、制御部６８により駆動制御される。制御部６８は、プリンタ装置１０１だけでなく、画像形成装置１００全体の制御を司っており、電源スイッチがオンになると、予め設定された手順でプリンタ装置１０１、原稿読取装置１０２、原稿搬送装置４２の各部を駆動制御して、画像形成装置１００を待機状態に設定する。
【００７４】
各イオン発生素子９５は、プラズマクラスターイオン（登録商標）発生素子（ＰＣＩ）である。図３の矢印Ａ方向から各イオン発生素子９５を見ると、図４に示すように２個のイオン発生素子９５がプリンタ装置１０１の幅方向に配列され、イオン発生素子９５毎に、プラスイオンを発生する一対のプラスイオン発生部９５ａと、マイナスイオンを発生する一対のマイナスイオン発生部９５ｂとが配列されている。これらイオン発生素子９５も、プリンタ装置１０１に内蔵の制御部６８に接続され、制御部６８により駆動が制御され、マイナスイオン、プラスイオンの発生量が制御される。なお、このようなイオン発生素子９５は、本願発明の出願人が先に出願した特許文献１に詳しく開示されている。
【００７５】
このイオン発生素子９５により発生されたプラスイオン及びマイナスイオンは、ファンユニット９２のファン９２ｃにより発生された空気流と共に吹き出しダクト９４を通じて吹き出し口７５から放出される。
【００７６】
図５（ａ）（ｂ）は、イオン発生装置７１の斜視図である。このうち、図５（ａ）は正面側より見た斜視図である。図５（ａ）に示すように、イオン発生装置７１は、正面側に動作表示ランプ７６が設けられている。動作表示ランプ７６は、イオン発生装置７１の作動状態をＬＥＤ等の発光体によって表示するものである。
【００７７】
一方、図５（ｂ）は背面側より見た斜視図である。図５（ｂ）に示すように、本体筐体７３の背面側壁の中央部には、矩形の吸入開口７３ａが設けられており、該吸入開口７３ａに、上記した複数の吸入孔７４ｂを有する吸入開口カバー７４が取り付けられている。吸入開口カバー７４は、本体筐体７３と同じく、樹脂等からなる幅方向に長い矩形の板状部材である。
【００７８】
吸入開口カバー７４は、図６に示すように、その長手方向の一端側が吸入開口７３ａを形成する本体筐体７３の開口部端面に枢支され、水平方向に開閉可能になっている。図６は、イオン発生装置７１が備える吸入開口カバー７４を開放した状態を示す斜視図である。
【００７９】
吸入開口カバー７４を開放すると、本体筐体７３の吸入開口７３ａが露呈する。吸入開口７３ａには、後述する、フィルター部材９９がセットされている。
【００８０】
吸入開口カバー７４における本体筐体７３の開口部端面に枢支されていない他端側には、ロック爪７４ｃを有するつまみ７４ａが形成されている。ここで、ロック爪７４ｃを有するつまみ７４ａは、樹脂の弾性で撓むようになっている。
【００８１】
一方、本体筐体７３における、吸入開口カバー７４が閉じられた状態でつまみ７４ａが当接する開口部端面には、つまみ７４ａに形成されたロック爪７４ｃが嵌入可能な凹部７１ｂが形成されており、ロック爪７４ｃを凹部７１ｂに嵌入させることによって、吸入開口カバー７４を本体筐体７３に係止して、閉状態を保持できるようになっている。
【００８２】
吸入開口カバー７４の外縁部を除く部分には、水平方向に延びる上記した複数の吸入孔７４ｂが平行に設けられており、外部の空気を取り込むことができるようになっている。
【００８３】
図７に、吸入開口カバー７４における、図５（ｂ）に示すＧ−Ｇ断面図を示す。図７に示すように、吸入開口カバー７４の外縁部の除く部分は、ルーバー構造になっており、複数の羽板７４ｄが平行に配設されている。羽板７４ｄは、吸入開口カバー７４の面に対して所定の角度θで配設されおり、角度θは適宜変更することができる。
【００８４】
図８（ａ）（ｂ）は、フィルター部材９９の斜視図である。このうち、図８（ａ）は正面側より見た斜視図であり、図８（ｂ）は背面側より見た斜視図である。図８（ａ）に示すように、フィルター部材９９は、枠体よりなるホルダー７８にフィルター７７が取り付けられてなる。ここでは、フィルター７７は、ホルダー７８に貼り付けられている。フィルター７７は、吸入孔７４ｂから取り込んだ空気中の塵埃等を捕集し、除去するものである。
【００８５】
ホルダー７８は、樹脂等からなり、フィルター７７の外縁部と背面部とを保持することによってフィルター７７を保持している。ホルダー７８の正面側における長手方向の一端側には、フィルター部材９９の吸入開口７３ａからの取り外しを容易にするための凹部７８ａが形成されている。凹部７８ａは、フィルター部材９９が吸入開口７３ａにセットされたとき、本体筐体７３における開口部端面に形成された上記凹部７１ｂに収まる位置に形成されている。（図６参照）。
【００８６】
また、図８（ｂ）に示すように、ホルダー７８のフィルター７７の背面を保持する部分は、グリッド構造になっており、複数の開口部が形成されている。フィルター７７によって塵埃等が除去された空気は、該開口部を通って、イオン発生部（図示省略）に送られる。
【００８７】
以上のような構成のイオン発生装置７１によれば、まず、吸入開口カバー７４に形成された複数の吸入孔７４ｂから、外部の空気が取り込まれ、吸入開口７３ａを通過する際に、フィルター７７によって空気中の塵埃等が除去される。塵埃等が除去された空気は、吸入ダクト９３を通じてファンユニット９２内へと吸入され、各イオン発生素子９５近傍を通過し、各イオン発生素子９５が発生させたプラスイオン及びマイナスイオンと共に、吹き出し口７５から放出される。
【００８８】
＜画像形成装置の説明＞
次に、画像形成装置１００について説明する。本実施形態における画像形成装置１００では、画像形成装置本体１００ａの上方にイオン発生装置７１を設け、イオン発生装置７１によってプラスイオン及びマイナスイオンを発生させる。これにより、画像形成装置本体１００ａの上方の空間を有効利用し、室内の空気中の浮遊細菌を効果的に除去することができる。
【００８９】
図９は、本実施形態における画像形成装置１００の斜視図である。図９に示すように、画像形成装置１００では、画像形成装置本体１００ａの背面側の片側コーナー部１００ｂ（斜線部分）に付設された、画像形成装置本体１００ａの上方へと延びる支柱７２を有する支持部材７０にて、イオン発生装置７１が片持ち支持されている。
【００９０】
支持部材７０は、上記支柱７２と、上記支柱７２を軸として回転する回転部材７９（図１１参照）を有しており、イオン発生装置７１は上記回転部材７９に取り付けられている。なお、支持部材７０の詳細については後述する。
【００９１】
イオン発生装置７１は、上述したように、プラスイオン及びマイナスイオンを、吹き出し口７５から矢印Ｄの方向に放出する。これにより、プラスイオン及びマイナスイオンが、主に画像形成装置本体１００ａの正面側、すなわち、画像形成装置１００が設置される室内方向に向かって上方から放出されるため、室内の空気中の浮遊細菌を効果的に除去することができる。
【００９２】
図１０は、図９に示す画像形成装置１００の側面図である。図１０に示すように、支持部材７０は、画像形成装置本体１００ａの背面側にボルト（図示省略）等によって固定されている。原稿搬送装置４２は、原稿読取装置１０２の背面側、つまり、画像形成装置本体１００ａの背面側で開閉可能に枢支されている。従って、イオン発生装置７１を画像形成装置本体１００ａの上方に配置するにあたり、不用意に画像形成装置本体１００ａの上方正面側、又は上方側面側に配置すると、原稿搬送装置４２の開閉等に支障をきたす。
【００９３】
このため、本実施形態における画像形成装置１００では、画像形成装置本体１００ａの背面側における片側コーナー部１００ｂの近傍に突設された支持部材７０によってイオン発生装置７１を画像形成装置本体１００ａの上方背面側に水平に支持している。これにより、イオン発生装置７１が原稿搬送装置４２の開閉に支障をきたすことがないため、画像形成装置１００の操作性を維持することができる。
【００９４】
また、画像形成装置１００を、背面を部屋の壁面に向けて配置する場合、画像形成装置１００は、通常、配線等の理由で壁面と少しの間隔を置いて配置される。このため、イオン発生装置７１を取り付けたことによって、画像形成装置１００の設置スペースが増大するという問題は生じない。
【００９５】
以上のような画像形成装置１００によれば、画像形成装置本体１００ａの上方の空間を有効利用して、室内の空気中の浮遊細菌を効果的に除去することができる。
【００９６】
また、画像形成装置１００が備えるプリンタ装置１０１においては、〔背景技術〕で述べたように、電子写真方式により記録用紙の印刷を行うに際し、ＶＯＣや臭気等の揮発性化学物質を含む有害な排出ガスが生じることがある。このような有害な排出ガスを放置していたのでは、画像形成装置１００の利用者に不快感を与えてしまい、好ましくない。
【００９７】
ここで、上述のとおり、イオン発生装置７１は、制御部６８（図２参照）により駆動が制御され、マイナスイオン、プラスイオンの発生量を制御することができる。そこで、マイナスイオンの放出量を増大させるようにイオン発生装置７１を制御することにより、プリンタ装置１０１から放出される排出ガスを低減させることもできる。
【００９８】
例えば、プリンタ装置１０１が備える制御部６８は、画像形成装置１００の動作状態に応じて、イオン発生装置７１におけるプラスイオン及びマイナスイオンの発生量及び発生割合を変化させる。具体的には、定着装置１２の作動時に、プラスイオン及びマイナスイオンの発生量及び発生割合を通常時と変化させ、イオン発生装置７１から放出されるマイナスイオンの量を増大させるようになっている。つまり、定着装置１２からは、定着動作に伴い、ＶＯＣや臭気を含む排出ガスが放出されるが、これらＶＯＣや臭気の消去、除去には、マイナスイオンがより効果的である。そこで、画像形成装置本体１００ａから排出ガスが放出されている状態では、イオン発生装置７１からのイオン発生量を増大させ、さらに、マイナスイオンの発生割合を高めるように切り換えることによって、より多くのマイナスイオンを含む空気流を、画像形成装置本体１００ａに向かって放出させる。このとき、エアーカーテンのように、マイナスイオンが主に画像形成装置本体１００ａの正面側を覆うため、排出ガスに含まれるＶＯＣや臭気等の揮発性化学物質に除去することができる。
【００９９】
このように、イオン発生装置７１として、プラズマクラスターイオン発生装置を使用した場合であっても、イオン発生装置７１から放出されるマイナスイオンの量を増大させることにより、排出ガスに含まれるＶＯＣや臭気等の揮発性化学物質に除去することができる。
【０１００】
なお、イオン発生装置７１としてマイナスイオン発生装置を使用することにより、プリンタ装置１０１から放出される排出ガスを効果的に低減させる構成であってもよい。
【０１０１】
ところで、＜イオン発生装置の説明＞で説明したように、イオン発生装置７１は、各イオン発生素子９５（図４参照）に送る空気中の塵埃等を除去するためのフィルター部材９９を備えている。フィルター部材９９は、イオン発生装置７１を正常に作動させるために定期的に交換が必要である。イオン発生装置７１のフィルター部材９９を交換する（以下、フィルター交換）場合、イオン発生装置７１の背面側の吸入開口カバー７４を開放して、吸入開口カバー７４の内側に取り付けられたフィルター部材９９を交換する必要がある。
【０１０２】
しかしながら、上述したように、画像形成装置１００は、背面を部屋の壁面に向けて配置されるようになっているため、イオン発生装置７１のフィルター交換に際して、部屋の壁面との間に作業スペースを確保するために、画像形成装置１００を移動させる必要が生じる。
【０１０３】
ここで、画像形成装置１００の側面側を作業スペースとすることで、画像形成装置１００を移動させることなく、イオン発生装置７１のフィルター交換を行うこともできなくはないが、当然、作業性は悪くなる。しかも、フィルター交換に際しては、吸入開口カバー７４を開放する必要があるため、イオン発生装置７１の背面と部屋の壁面との間に吸入開口カバー７４の開閉を妨げることがない程度の空間を確保する必要が生じる。イオン発生装置７１を取り付けたことによる画像形成装置１００の設置スペースの増大を避けるには、イオン発生装置７１の背面と部屋の壁面との間は、吸入開口カバー７４に設けられた吸入孔７４ｂからの空気の取り込みが可能な程度とすることが好ましい。
【０１０４】
そこで、本実施形態における画像形成装置１００では、図１に示すように、イオン発生装置７１は、支持部材７０によって回転自在に支持されており、イオン発生装置７１を動作させる動作位置と、イオン発生装置７１のメンテナンスを行うためのメンテナンス位置とに移動可能となっている。
【０１０５】
上記動作位置とは、図１１（ａ）に示すように、画像形成装置１００の上方より見たイオン発生装置７１の投影面が、画像形成装置本体１００ａの上面、画像形成装置本体１００ａの背面側において重畳する位置である。
【０１０６】
一方、上記メンテナンス位置とは、図１１（ｂ）に示すように、画像形成装置１００の上方より見たイオン発生装置７１の投影面が、画像形成装置本体１００ａの上面に、上記支持部材７０が設けられた片側コーナー部１００ｂを除いて重畳しない、画像形成装置１００の側方の位置である。図１１（ｂ）では、メンテナンス位置は、動作位置より、支持部材７０を中心に約１８０度回転した位置となっている。
【０１０７】
これにより、イオン発生装置７１のフィルター交換を、画像形成装置１００を移動させたり、また、画像形成装置１００を移動させることなくフィルター交換が可能なように、画像形成装置１００を部屋の壁面より必要以上に離して設置したりすることなく容易に実施できる。
【０１０８】
ここで、支持部材７０を取り付ける画像形成装置本体１００ａの背面側の片側コーナー部１００ｂの選択であるが、画像形成装置本体１００ａにおけるジャム処理のために開放される側壁を有する側のコーナー部を選択することが好ましい。
【０１０９】
画像形成装置本体１００ａが備えるプリンタ装置１０１においては、記録用紙の搬送パスが設けられている側の側壁を、搬送途中で詰まった記録用紙を取り除く、所謂ジャム処理のために開放可能に構成しており、開放される側壁を有する側の空間は、通常、空きスペースとなっている。
【０１１０】
従って、図１のように１８０度回転させた位置をメンテナンス位置としたとしても、このジャム処理のために確保されている画像形成装置１００側方の空間を利用することで、画像形成装置１００の設置スペースを増大させるといった問題は生じない。
【０１１１】
以下、イオン発生装置７１を支持する支持部材７０の構成について説明する。
＜支持部材の説明＞
図１２は、本実施形態における支持部材７０を説明するための斜視図である。図１２に示すように、支持部材７０は、画像形成装置本体１００ａの背面側の片側コーナー部１００ｂに取り付けられ、画像形成装置本体１００ａの上方へと延びる支柱７２と、該支柱７２を軸として回転する回転部材７９とから構成されている。支柱７２は、円柱形状の棒状部材である。また、回転部材７９は、支柱７２の先端部に取り付けられた中空の円柱形状部材であり、支柱７２と同軸上に設けられている。ここで、イオン発生装置７１は、回転部材７９を介して、支柱７２によって底面の一端部を支持されている。
【０１１２】
図１３は、図１２に示す支持部材７０における拡大断面図である。図１３に示すように、回転部材７９の底面には、支柱７２の先端部を挿入するための開口部７９ａが形成されている。回転部材７９の内部には、該開口部７９ａから挿入された支柱７２の上面７２ａと当接する面に、スラスト玉軸受け８０が備えられており、支柱７２の上面７２ａとスラスト玉軸受け８０とは接着剤等により固定されている。
【０１１３】
スラスト玉軸受け８０は、図１１に示すように、軸軌道板８０ａとハウジング軌道板８０ｂとの間に複数の玉８０ｃが備えられた構成であり、ハウジング軌道板８０ｂと軸軌道板８０ａとは相互に円滑に回転するものである。このようなスラスト玉軸受け８０を介して支柱７２に取り付けられることで、回転部材７９は、支柱７２の軸を中心に回転することができる。
【０１１４】
イオン発生装置７１は、本体筐体７３の底面部に回転部材７９と接合するための凹部７３ｂを有しており、該凹部７３ｂに回転部材７９の上部が嵌合され、固定されている。これにより、イオン発生装置７１は、回転部材７９を介して、支柱７２によって支持され、かつ、支柱７２の軸を中心に回転することができる。
【０１１５】
また、回転部材７９の外周面には、図１３に示すように、イオン発生装置７１の回転を規制するストッパー（角度固定部材）８１を嵌入する貫通穴７９ｂが形成されており、支柱７２には、ストッパー８１の先端部が嵌入される嵌入穴７２ｂが形成されている。
【０１１６】
図１５は、支柱７２の要部の斜視図である。図１５に示すように、回転部材７９の内部に挿入される支柱７２の先端部には、ストッパー８１の先端部を嵌入される嵌入穴７２ｂが形成されている。
【０１１７】
該嵌入穴７２ｂを複数設ける、或いは、回転部材７９側に貫通穴７９ｂを複数設けることにより、支柱７２周りの回転部材７９の位置、つまり、イオン発生装置７１の位置を、複数箇所で固定させることができる。
【０１１８】
本実施形態では、上記した動作位置、及び、動作位置より１８０度回転したメンテナンス位置においてイオン発生装置７１を固定できるように、嵌入穴７２ｂが２箇所、或いは１つの嵌入穴７２ｂに対して２つの貫通穴７９ｂが設けられている。また、動作位置より図１のＤ方向に９０度回転した位置においてイオン発生装置７１を固定できるように、３つめの嵌入穴７２ｂ、或いは３つめの貫通穴７９ｂを設けてもよい。
【０１１９】
また、ストッパー８１の先端部の外周面には、脱落防止の突起８１ａが形成されている。一方、ストッパー８１が嵌入された状態で突起８１ａが位置する嵌入穴７２ｂの内壁には、嵌入されたストッパー８１が回転されることで、突起８１ａと係合する係合穴７２ｃが設けられており、これにより、ストッパー８１の脱落を防止している。
【０１２０】
以上のように、本実施形態に係る画像形成装置１００では、イオン発生装置７１は、回転部材７９を介して支柱７２によって支持されている。これにより、イオン発生装置７１を、動作位置からメンテナンス位置へと簡単に移動させることができる。
【０１２１】
＜まとめ＞
図１は、本実施形態における画像形成装置１００のフィルター交換時の状態を示す斜視図である。図１に示すように、画像形成装置１００では、動作位置にあるイオン発生装置７１を、画像形成装置１００の正面方向に１８０度回転させて、メンテナンス位置へと移動させることができる。
【０１２２】
これにより、イオン発生装置７１のフィルター交換を、画像形成装置１００を移動させることなく、また、画像形成装置１００を部屋の壁面より必要以上に離して設置したりすることなく、容易に行うことができる。
【０１２３】
＜画像形成装置の変形例＞
図１６は、本実施形態における画像形成装置１００の変形例を示す斜視図である。図１６に示すように、画像形成装置1００’におけるイオン発生装置１７１は、動作表示ランプ７６を有する正面側に、吸入開口７３ａを有しており、吸入開口カバー７４が設けられているタイプである。
【０１２４】
図１７に、画像形成装置１００’のフィルター交換時の状態を示す斜視図である。図１７に示すように、画像形成装置１００’では、動作位置にあるイオン発生装置１７１を、画像形成装置１００の正面方向に９０度回転させて、メンテナンス位置へと移動させることができる。
【０１２５】
吸入開口７３ａを正面側に有するタイプのイオン発生装置１７１を上記した支持部材７０で支持する本画像形成装置１００’の場合、動作位置より支柱７２周りに正面側に約９０度回転させた位置がメンテナンス位置となる。
【０１２６】
なお、本実施形態では、支柱７２の先端部に設けられた回転部材７９が回転することによって、イオン発生装置７１を動作位置からメンテナンス位置へと回転させる構成について説明したが、本発明はこれに限定されるものではなく、例えば、支柱７２とイオン発生装置７１が固定されており、支柱７２が画像形成装置本体１００ａに対して回動する構成であってもよい。
【０１２７】
また、本実施形態では、メンテナンス位置として、イオン発生装置７１を９０度又は１８０度回転させる場合について例示したが本発明はこれに限定されるものではなく、画像形成装置１００，１００’の設置条件等に合わせて回転角度を適宜変更してもよい。
【０１２８】
＜イオン発生装置における吸入開口カバー及びフィルターの変形例＞
図１８は、イオン発生装置７１、１７１に採用可能な、図６に示したフィルター７７が吸入開口カバー７４と一体化された、フィルター付カバー部材１９９の斜視図である。
【０１２９】
図１７に示すように、フィルター付カバー部材１９９では、吸入開口カバー１７４の裏面に、フィルター７７が貼り付けられた構成であり、吸入開口カバー１７４がホルダー７８の機能を兼ね備えている。
【０１３０】
吸入開口カバー１７４の長手方向の一端側には、図６に示した吸入開口カバー７４と同様に、ロック爪７４ｃを有するつまみ７４ａが形成される一方、吸入開口カバー７４では枢支されていた側の他端側には、吸入開口７３ａにおける開口部端面に形成された係止穴（図示せず）に嵌合することで、吸入開口７３ａにフィルター付カバー部材１９９を固定するための突起１７４ａが２つ形成されている。
【０１３１】
これによれば、吸入開口カバー７４のように、開閉する必要がないので、フィルター交換をより容易に行うことができる。
【０１３２】
特に、図１６、図１７で示した、動作表示ランプ７６を有する正面側に、吸入開口７３ａを有しているタイプのイオン発生装置１７１の場合、特許文献４，５に開示されている構成のように、本体筐体を分断し、フロントパネルとし、これを外してフィルター交換する構成とすると、動作表示ランプ７６のハーネスについても、外したり付けたりする作業が必要となる。
【０１３３】
しかしながら、上記したように、本体筐体に吸入開口７３ａを覆う開閉式の吸入開口カバー７４を設ける構成や、フィルター付カバー部材１９９の構成とすることで、動作表示ランプ７６のハーネスについての煩わしい作業が不要となる。
【０１３４】
〔実施形態２〕
本発明の他の実施形態について、図１９〜図２２に基づいて説明すれば以下のとおりである。実施形態１では、イオン発生装置７１，１７１を回転させて、メンテナンス位置へと移動させる構成について説明したが、本実施形態では、イオン発生装置１７１を、画像形成装置の正面より見て横方向にスライドさせて移動させる構成について説明する。この構成は、正面側に吸入開口７３ａを有する、イオン発生装置１７１との組み合わせに適したものであり、背面側に吸入開口７３ａを有する、イオン発生装置７１との組み合わせは不適当である。
【０１３５】
また、説明の便宜上、上記形態１にて説明した図面と同じ機能を有する部材については、同じ符号を付記し、その説明を省略する。
＜画像形成装置の説明＞
図１９は、本実施形態における画像形成装置３００の斜視図である。図１９に示すように、画像形成装置３００では、実施形態１で説明した画像形成装置１００と同様に、画像形成装置本体３００ａの背面片側のコーナー部３００ｂ近傍に突設された支持部材２７０によって、イオン発生装置１７１が片持ち支持されている。
【０１３６】
画像形成装置１００’と画像形成装置３００との違いは、支持部材２７０の構成にある。以下、画像形成装置３００おける支持部材２７０の構成について説明する。
【０１３７】
＜支持部材２７０の説明＞
図２０は、本実施形態における支持部材２７０を説明するための斜視図である。図２０に示すように、支持部材２７０は、支柱７２と、支柱７２の上部に設けられ、支柱７２の上部においてイオン発生装置１７１を、画像形成装置３００を正面より見た場合の横方向にスライド自在に支持するスライド部材２７３とから構成されている。
【０１３８】
さらに、スライド部材２７３は、保持台２７４と、載置台２７５とを備えている。保持台２７４は、長方形の板状部材であり、下面の長手方向の一端部が支柱７２に固定され、イオン発生装置１７１の動作位置に固定されている。そして、保持台２７４の上面には、長手方向に沿って、連続した凸部形状のガイド２７４ａが２本平行に形成されている。
【０１３９】
一方、載置台２７５は、保持台２７４と略同寸法の板状部材であり、保持台２７４の上面に当接して重なるように配設されている。また、載置台２７５の下面には、保持台２７４の上面に形成された２つのガイド２７４ａに係合する連続した凹部（図示省略）が形成されている。これにより、載置台２７５は、ガイド２７４ａに沿って保持台２７４の上面をスライドすることができる。イオン発生装置１７１は、載置台２７５の上面に固定されている。
【０１４０】
このように、本実施形態における画像形成装置３００では、イオン発生装置１７１は、スライド部材２７３を介して支柱７２によって支持されている。これにより、イオン発生装置１７１を、動作位置からメンテナンス位置へと簡単に移動させることができる。
【０１４１】
なお、保持台２７４及び載置台２７５の形状及び寸法は特に限定されず、使用されるイオン発生装置１７１の形状によって、適宜変更することができる。
【０１４２】
図２１は、図２０に示す破線丸枠内を示す拡大図である。図２１に示すように、保持台２７４の上面の支柱７２にて固定されている側の端部近傍には、短手方向に連続した凸部形状の規制部２７４ｂが形成されている。また、載置台２７５の下面における、保持台２７４における規制部２７４ｂが形成されている側とは反対側の端部にも、同様に短手方向に連続した凸部形状の規制部２７５ｂが形成されている。
【０１４３】
これにより、イオン発生装置１７１を画像形成装置３００の側方にスライドさせて移動させたときに、規制部２７４ｂと規制部２７５ｂと係合する位置で、イオン発生装置１７１のスライドは停止される。これにより、保持台２７４から載置台２７５が脱落し、ひいては、イオン発生装置１７１が脱落することを防止することができる。
【０１４４】
そして、さらに、規制部２７４ｂと規制部２７５ｂとが係合し、保持台２７４と載置台２７５とが互いの端部を重畳させた状態で停止した位置において、保持台２７４と載置台２７５との位置関係を固定できるように、保持台２７４には、図２１に示すように、スライド移動を規制するストッパー８１を嵌入する貫通穴２７４ｃが形成され、載置台２７５には、ストッパー８１の先端部が嵌入される嵌入穴２７５ｃが形成されている。
【０１４５】
これにより、ストッパー２８１を、保持台２７４側の貫通穴２７４ｃより嵌入し、その先端部を載置台２７５側の嵌入穴２７５ｃに嵌入させることで、イオン発生装置１７１をメンテナンス位置に固定させることができる。
【０１４６】
ここで、ストッパー２８１は、ストッパー２８１の軸に設けられた引っ張りバネ２８２によって保持台２７４の下面に取り付けられており、矢印ｂにて示す上方（保持台２７４の方向）に付勢されている。そのため、イオン発生装置１７１をスライドさせる際、載置台２７５の下面は、ストッパー２８１の先端部を擦るようにして移動し、イオン発生装置１７１が、規制部２７４ｂと規制部２７５ｂとが係合する位置にまで引き出され、貫通穴２７４ｃの位置上に嵌入穴２７５ｃが到達すると、ストッパー２８１の先端が、嵌入穴２７５ｃに嵌合し、イオン発生装置１７１を自動的に固定するようになっている。
【０１４７】
固定の解除は、ストッパー２８１を引っ張りバネ２８２の力に抗って下方に引っ張り、先端部を嵌入穴２７５ｃより引き出すことによって解除され、載置台２７５を動作位置へと復帰させることができる。
【０１４８】
＜まとめ＞
図２２は、本実施形態における画像形成装置３００のフィルター交換時の状態を示す斜視図である。図２２に示すように、画像形成装置３００は、イオン発生装置１７１を、画像形成装置１００の支柱７２が設けられた側方にスライド移動させることができる。これにより、フィルター交換時に、画像形成装置３００の奥行きが支障とならないため、フィルター交換作業を容易に行うことができる。
【０１４９】
以上、添付図面を参照しながら本発明の好適な実施形態について説明したが、本発明は係る例に限定されないことは言うまでもない。当業者であれば、特許請求の範囲に記載された範疇内において、各種の変更例、又は修正例に想到し得ることは明らかであり、それらについても当然に本発明の技術的範囲に属するものと解される。また、実施形態１で記載したフィルター部材の変形例等は、実施形態２と組み合わせ可能であることは言うまでもない。
【０１５０】
また、本実施形態では、イオン発生装置に、上面からプラスイオン及びマイナスイオン放出するタイプのものを使用した場合について説明したが、本発明はこれに限定されない。例えば、底面、或いは側面からプラスイオン及びマイナスイオン放出するタイプのイオン発生装置を使用してもよい。
【０１５１】
また、本実施形態では、プラスイオン及びマイナスイオンの放出方向を矢印Ｄに設定しているが、本発明はこれに限定されない。プラスイオン及びマイナスイオンが画像形成装置本体の周辺に放出されるのであれば、プラスイオン及びマイナスイオンの放出方向を変更してもよい。
【産業上の利用可能性】
【０１５２】
本発明は、様々な画像形成装置に適用することができる。
【符号の説明】
【０１５３】
６８    制御部
７０    支持部材
７１    イオン発生装置（イオン発生手段）
７２    支柱（支持部材）
７７    フィルター
７９    回転部材
８０    スラスト玉軸受け
８１    ストッパー（角度固定部材）
１００    画像形成装置
１００ａ  画像形成装置本体
1００’    画像形成装置
１７１    イオン発生装置（イオン発生手段）
２７３    スライド部材
２８１    ストッパー（位置固定部材）
３００    画像形成装置
【図１】
2011081059.tif 000003
【図２】
2011081059.tif 000004
【図３】
2011081059.tif 000005
【図４】
2011081059.tif 000006
【図５】
2011081059.tif 000007
【図６】
2011081059.tif 000008
【図７】
2011081059.tif 000009
【図８】
2011081059.tif 000010
【図９】
2011081059.tif 000011
【図１０】
2011081059.tif 000012
【図１１】
2011081059.tif 000013
【図１２】
2011081059.tif 000014
【図１３】
2011081059.tif 000015
【図１４】
2011081059.tif 000016
【図１５】
2011081059.tif 000017
【図１６】
2011081059.tif 000018
【図１７】
2011081059.tif 000019
【図１８】
2011081059.tif 000020
【図１９】
2011081059.tif 000021
【図２０】
2011081059.tif 000022
【図２１】
2011081059.tif 000023
【図２２】
2011081059.tif 000024